【手続補正書】
【提出日】平成31年3月18日(2019.3.18)
【手続補正１】
【補正対象書類名】明細書
【補正対象項目名】０１６１
【補正方法】変更
【補正の内容】
【０１６１】
切り替え前に測定された粘度：０．０１Ｈｚで２３６６Ｐａ  ｓ。
本明細書に開示される発明は以下の態様を含む。
＜態様１＞
使用者の皮膚表面に取り付けるための接着剤ウェハと、前記接着剤ウェハに接続された収集バッグとを含むオストミー装置であって、前記接着剤ウェハが前記使用者のストーマを収容するための貫通孔を有し、前記接着剤ウェハが、バッキング層と、第１の切り替え可能な接着剤組成物と、第２の接着剤組成物と、少なくとも１つの剥離ライナとを含み、前記第１の切り替え可能な接着剤はポリマーおよび切り替え開始剤を含み、前記組成物は、前記切り替え開始剤を活性化することによって、第１の液体の状態から第２の接着性の状態へ切り替えることができ、前記装置は前記第１の切り替え可能な接着剤組成物を収容するための凹部を含む、オストミー装置。
＜態様２＞
前記凹部が前記剥離ライナ内にある、態様１に記載のオストミー装置。
＜態様３＞
前記凹部が部分的に前記第２の接着剤組成物内にありかつ部分的に前記剥離ライナ内にある、態様１または２に記載のオストミー装置。
＜態様４＞
前記凹部が前記第２の接着剤組成物内にある、態様１〜３のいずれか一項に記載のオストミー装置。
＜態様５＞
前記第１および前記第２の接着剤組成物の皮膚に面する表面が面一／一列になっている、態様４に記載のオストミー装置。
＜態様６＞
前記凹部が、形態の安定したテクスチャに切り替えられた前記第１の接着剤の縁部の少なくとも一部によって提供される、態様１〜５のいずれか一項に記載のオストミー装置。
＜態様７＞
前記剥離ライナが、前記第１の切り替え可能な接着剤組成物および前記第２の接着剤組成物の両方と接触する、態様１〜６のいずれか一項に記載のオストミー装置。
＜態様８＞
前記接着剤ウェハが、前記ストーマを収容する前記孔に隣接する中央部分と、前記孔から離れる前記接着剤ウェハの縁部に隣接する周辺部分とを有し、前記第２の接着剤組成物が前記接着剤ウェハの前記周辺部分に少なくとも配置される、態様１〜７のいずれか一項に記載のオストミー装置。
＜態様９＞
前記第１の切り替え可能な接着剤組成物が前記接着剤ウェハの前記中央部分にだけ配置される、態様１〜８のいずれか一項に記載のオストミー装置。
＜態様１０＞
前記第１の切り替え可能な接着剤組成物が、前記第１の液体の状態において、０．４ＭＰａ  ｓ（メガパスカル−秒、すなわち、ＭＰａ・ｓ）未満の、複素２０粘性率｜η＊｜を有し；および前記第２の接着性の状態において、前記第１の液体の状態の前記複素粘性率｜η＊｜よりも高い複素粘性率｜η＊｜を有し、および前記第２の接着性の状態において１Ｎを超える第２の繰り返し剥離力を有する、態様１〜９のいずれか一項に記載のオストミー装置。
＜態様１１＞
前記第１の切り替え可能な接着剤組成物が、内側境界を画定する、前記貫通孔からのある半径方向距離内の内側リムと、前記孔からのある半径方向距離内に外側境界を画定する、前記貫通孔からのある半径方向距離内の外側リムとを有する、態様１〜１０のいずれか一項に記載のオストミー装置。
＜態様１２＞
前記第１の切り替え可能な接着剤の少なくとも前記内側リムまたは前記外側リムが切り替えられる、態様１〜１１のいずれか一項に記載のオストミー装置。
＜態様１３＞
・態様１〜１１のいずれか一項に記載のオストミー装置を提供するステップと、
・前記装置から前記剥離ライナの少なくとも一部を除去するステップと、
・前記ストーマの周囲の皮膚に前記接着剤ウェハを適用するステップと、
・前記ストーマの周囲に適合するように前記第１の接着剤を成形するステップ、
・前記切り替え開始剤を活性化することによって、前記第１の接着剤組成物を第１の液体の状態から第２の接着性の状態へ切り替えるステップと
を含む、オストミー装置を適用する方法。
＜態様１４＞
前記適用の前に前記貫通孔が前記ストーマに適合するように切断される、態様１２に記載の方法。
【手続補正２】
【補正対象書類名】特許請求の範囲
【補正対象項目名】全文
【補正方法】変更
【補正の内容】
【特許請求の範囲】
【請求項１】
使用者の皮膚表面に取り付けるための接着剤ウェハと、前記接着剤ウェハに接続された収集バッグとを含むオストミー装置であって、前記接着剤ウェハが前記使用者のストーマを収容するための貫通孔を有し、前記接着剤ウェハが、バッキング層と、第１の切り替え可能な接着剤組成物と、第２の接着剤組成物と、少なくとも１つの剥離ライナとを含み、前記第１の切り替え可能な接着剤組成物がポリマーおよび切り替え開始剤を含み、前記第１の接着剤組成物は、前記切り替え開始剤を活性化することによって第１の液体の状態から第２の接着性の状態へ切り替えることができ、当該オストミー装置が凹部を含み、前記凹部が、前記第１の切り替え可能な接着剤組成物を収容するための、流動性物質を含むことができる構造であり、前記第２の状態の前記第１の接着剤組成物が前記第１の状態の前記第１の接着剤組成物よりも高い粘度を有し、前記凹部が、形態の安定したテクスチャに切り替えらえた前記第１の接着剤組成物の縁部の少なくとも一部によって提供される、オストミー装置。
【請求項２】
前記凹部が前記剥離ライナ内にある、請求項１に記載のオストミー装置。
【請求項３】
前記凹部が部分的に前記第２の接着剤組成物内にありかつ部分的に前記剥離ライナ内にある、請求項１または２に記載のオストミー装置。
【請求項４】
前記凹部が前記第２の接着剤組成物内にある、請求項１〜３のいずれか一項に記載のオストミー装置。
【請求項５】
前記第１の接着剤組成物および前記第２の接着剤組成物の皮膚に面する表面が面一／一列になっている、請求項４に記載のオストミー装置。
【請求項６】
前記剥離ライナが、前記第１の切り替え可能な接着剤組成物および前記第２の接着剤組成物の両方と接触する、請求項１〜５のいずれか一項に記載のオストミー装置。
【請求項７】
前記接着剤ウェハが、前記ストーマを収容する前記貫通孔に隣接する中央部分と、前記貫通孔から離れる前記接着剤ウェハの縁部に隣接する周辺部分とを有し、前記第２の接着剤組成物が前記接着剤ウェハの前記周辺部分に少なくとも配置される、請求項１〜６のいずれか一項に記載のオストミー装置。
【請求項８】
前記第１の切り替え可能な接着剤組成物が前記接着剤ウェハの前記中央部分にだけ配置される、請求項７に記載のオストミー装置。
【請求項９】
前記第１の切り替え可能な接着剤組成物が、前記第１の液体の状態において、０．４ＭＰａ  ｓ（メガパスカル−秒、すなわち、ＭＰａ・ｓ）未満の、複素粘性率｜η＊｜を有し；および前記第２の接着性の状態において、前記第１の液体の状態の前記複素粘性率｜η＊｜よりも高い複素粘性率｜η＊｜を有し、および前記第２の接着性の状態において１Ｎを超える第２の繰り返し剥離力を有する、請求項１〜８のいずれか一項に記載のオストミー装置。
【請求項１０】
前記第１の切り替え可能な接着剤組成物が、内側境界を画定する、前記貫通孔からのある半径方向距離内の内側リムと、前記貫通孔からのある半径方向距離内に外側境界を画定する、前記貫通孔からのある半径方向距離内の外側リムとを有する、請求項１〜９のいずれか一項に記載のオストミー装置。
【請求項１１】
前記第１の切り替え可能な接着剤組成物の少なくとも前記内側リムまたは前記外側リムが切り替えられる、請求項１０に記載のオストミー装置。
【請求項１２】
・請求項１〜１０のいずれか一項に記載のオストミー装置を提供するステップと、
・前記オストミー装置から前記剥離ライナの少なくとも一部を除去するステップと、
・前記ストーマの周囲の皮膚に前記接着剤ウェハを適用するステップと、
・前記ストーマの周囲に適合するように前記第１の接着剤組成物を成形するステップ、
・前記切り替え開始剤を活性化することによって、前記第１の接着剤組成物を第１の液体の状態から第２の接着性の状態へ切り替えるステップと
を含む、オストミー装置を適用する方法。
【請求項１３】
前記適用の前に前記貫通孔が前記ストーマに適合するように切断される、請求項１２に記載の方法。